(57)【要約】  【課題】  陰極線管装置の出荷する商業地域を狭めることなく、色ずれが発生する可能性を低くできるＩＴＣ調整方法を提供する。  【解決手段】  カラー陰極線管に偏向ヨーク、ＣＰＵ（Ｃonvergence  and  Ｐurity  Ｕnit）等を組み込んだカラー陰極線管装置について、この陰極線管装置が出荷される出荷地域に作用する地磁気の影響を考慮して垂直方向に一定の磁界を印加した状態で、偏向ヨークとＣＰＵの静コンバーゼンス磁石及びピュリティー磁石を調整してＩＴＣ調整する。このとき、印加する一定の磁界は、カナダからメキシコ等を含む北米の商業地域の場合、地磁気の垂直方向の成分の影響が小さい位置、つまりメキシコの都市に作用する地磁気の垂直方向の成分に相当する値である。  【選択図】  図３
2005038726.tif 000002
【特許請求の範囲】
【請求項１】
陰極線管装置に対する実使用状態での地磁気の影響を軽減するために、陰極線管装置の出荷先として予定されている地域に対応して設定された垂直方向の一定の磁界を出荷前の陰極線管装置に印加して行う陰極線管装置のＩＴＣ調整方法において、
前記垂直方向に印加する一定の磁界として、前記地域内における地磁気の垂直磁界であってその最大値と最小値の平均値よりも小さい値を印加することを特徴とする陰極線管装置のＩＴＣ調整方法。
【請求項２】
前記垂直方向に印加する一定の磁界として、前記最小値をとる位置の近くであって、都市が存在する位置の値を印加することを特徴とする請求項１に記載の陰極線管装置のＩＴＣ調整方法。
【請求項３】
前記出荷先として予定されている地域は、北米であり、前記垂直方向に印加する一定の磁界は、３０μＴ以上４５μＴ未満の範囲であることを特徴とする請求項１に記載の陰極線管装置のＩＴＣ調整方法。
【請求項４】
陰極線管を備える陰極線管装置に対する実使用状態での地磁気の影響を軽減するために、前記陰極線管装置の出荷先として予定されている地域に対応して設定された垂直方向の一定の磁界を前記陰極線管に印加して行うＩＴＣ調整工程を含む陰極線管装置の製造方法であって、
前記ＩＴＣ調整工程では、前記垂直方向に印加する一定の磁界として、前記地域内における地磁気の垂直磁界であったその最大値と最小値の平均値よりも小さい値を印加することを特徴とする陰極線管装置の製造方法。
【請求項５】
前記陰極線管は、シャドウマスクとして鉄製のテンションマスクを備えていることを特徴とする請求項４に記載の陰極線管装置の製造方法。
【発明の詳細な説明】
【技術分野】
【０００１】
本発明は、陰極線管装置の地磁気による色ずれを抑制する技術に関する。
【背景技術】
【０００２】
カラー陰極線管を用いたカラー陰極線管装置は、電子銃から射出された電子ビームを偏向ヨークの磁界により偏向させて蛍光面に沿って走査させている。カラー陰極線管内部の走査領域を通過する電子ビームは地磁気の影響を受けやすく、カラー陰極線管内への地磁気の侵入を遮蔽する磁気シールドをカラー陰極線管装置に設けてはいるものの、地磁気の影響を完全に無くすことはできない。このため、電子ビームが蛍光面の所定位置からずれて到達するという、所謂ミスランディングが生じ、ひどい場合には色ずれ等の画質の低下を招く。
【０００３】
また、カラー陰極線管装置は、シャドウマスクに対する入射角度を調整する色純化用のピュリティー磁石、或いは、電子ビームを一点に集中させる静コンバーゼンス調整用の静コンバーゼンス磁石等の調整磁石を備えている。
【０００４】
そして、カラー陰極線管装置の出荷前に、偏向ヨークの位置・傾き等の調整、各調整磁石を操作して、ライディング調整、静コンバーゼンス調整等を行っている（これらの調整をまとめて、以下、「ＩＴＣ（Integrated Tube Components System） 調整」といい、例えばＩＴＣ調整方法として特許文献１に記載されている）。
【０００５】
この際に、カラー陰極線管装置の出荷先として予定されている地域（以下、単に、「出荷予定地域」という。）を考慮した地磁気の垂直磁界を予めカラー陰極線管装置に印加してＩＴＣ調整することにより、カラー陰極線管装置が出荷先において地磁気の影響によって色ずれを起こすのを抑制している。なお、地磁気の垂直方向の磁界を垂直磁界と、また水平方向の磁界を水平磁界とそれぞれいう。
【０００６】
一方、カラー陰極線管装置には、日本国内或いは外国で製造（ＩＴＣ調整工程を含む）された後、ＩＴＣ調整をおこなった場所と異なる地域（国）に出荷されるものもある。出荷される地域は、例えば、北米、ヨーロッパ等の各範囲を１つの出荷予定地域として区分され、同じ出荷予定地域では、上述のＩＴＣ調整時にカラー陰極線管装置に印加する垂直磁界を一定にしている。この印加する磁界の値は、出荷予定地域内における最大値である（緯度の高い位置での）垂直磁界と最小値である（緯度の低い位置での）垂直磁界との平均値を用いている。
【０００７】
以下、カラー陰極線管装置の出荷予定先として北米地域を例にして具体的に説明する。この北米地域には、カナダ、米国、メキシコ等の国が含まれる。この出荷予定地域において、緯度の高い都市をカナダのイエローナイフと、また緯度の低い都市をメキシコのメキシコシティーとそれぞれすると、ＩＴＣ調整時に印加する垂直磁界の値は、カナダのイエローナイフに作用する垂直磁界（５９μＴ）と、メキシコのメキシコシティーに作用する垂直磁界（３１μＴ）との平均値である４５μＴとなる。
【０００８】
しかしながら、出荷予定地域における垂直磁界の平均値を印加して行う従来のＩＴＣ調整は、通常のシャドウマスクを用いたカラー陰極線管装置では、地磁気による色ずれが生じる可能性が低かったが、近年適用されつつある、シャドウマスクにテンションを作用させたマスク（このマスクを、以下、単に「テンションマスク」という。）を用いたカラー陰極線管装置では、色ずれが発生する可能性がでてきた。
【０００９】
つまり、シャドウマスクとしてテンションマスクを用いると、電子ビームの照射時のテンションマスク自体の膨張を小さくでき、電子ビームの照射時における画面上での色純度が低下する、所謂、ドーミング現象を抑制できる反面、テンションマスクの透磁率が低下して、地磁気（特に水平磁界）の影響による電子ビームの左右方向の移動量が大きくなるのである。
【００１０】
具体的には、上述のように４５μＴの垂直磁界を印加してＩＴＣ調整したカラー陰極線管装置をメキシコのメキシコシティーで使用すると、画面の上下の中央部（以下、「ＮＳ部」という。）における電子ビームの左右方向の移動量（以下、単に、「ビーム移動量」という。）が、画面の大きさが３８型の場合最大で４９μｍとなる。
【００１１】
一方、カラー陰極線管装置は、上述の地磁気の影響以外に、例えば、ＩＴＣ調整のバラツキ、消磁コイルによる消磁のバラツキ等により、そのビーム移動量が、上述の３８型の場合略２０μｍ程度に達することもある。従って、これら全てを合算したビーム移動量は略６９μｍとなる。
【００１２】
これに対して、この３８型のカラー陰極線管装置では、そのビーム移動量が７４μｍになると色ずれを生じ始め、上述の合算したビーム移動量と、色ずれが生じ始めるビーム移動量との差はわずか５μｍしかなく、色ずれを起こしてしまう可能性が高いのである。
【００１３】
なお、例えば、現在の出荷予定地域の範囲を小さくしてＩＴＣ調整をすれば、色ずれの発生する可能性を低くできるが、カラー陰極線管装置を出荷予定地域毎に細かく区分したり、各出荷予定地域用のＩＴＣ調整の設定が複雑になったりして生産工程上好ましくない。
【特許文献１】特開平１０−１２５２３５号公報
【発明の開示】
【発明が解決しようとする課題】
【００１４】
本発明は、上記のような問題点に鑑みてなされたものであって、陰極線管装置の出荷する出荷予定地域を狭めることなく、色ずれの発生する可能性を抑えることができるＩＴＣ調整方法及び陰極線管装置の製造方法を提供することを目的とする。
【課題を解決するための手段】
【００１５】
上記目的を達成するために、本発明に係る陰極線管装置のＩＴＣ調整方法は、陰極線管装置に対する実使用状態での地磁気の影響を軽減するために、陰極線管装置の出荷先として予定されている地域に対応して設定された垂直方向の一定の磁界を出荷前の陰極線管装置に印加して行う陰極線管装置のＩＴＣ調整方法において、前記垂直方向に印加する一定の磁界として、前記地域内における地磁気の垂直磁界であってその最大値と最小値の平均値よりも小さい値を印加することを特徴としている。
【００１６】
ここでいう「実使用状態」とは、陰極線管装置に表示された画像を見る状態をいい、また、「出荷先として予定されている地域」とは、陰極線管装置を設置して画像を表示させる環境が整っている都市等が存在する地域をさす。これらの地域は、例えば、北米地域であれば、その包装、取扱い説明書の記載は英語でなされており、これらからその地域を認定することができる。
【００１７】
この方法によれば、出荷先として予定されている地域内において、地磁気の影響による電子ビームの左右方向の移動量が、従来の方法よりも大きくなる位置もあるが、その位置でのビーム移動量は色ずれを発生するほど大きくない。
【００１８】
逆に、出荷先として予定されている地域内における垂直方向の地磁気の成分の小さい位置では、地磁気全体の影響による電子ビームの左右方向の移動量を小さくでき、色ずれの発生する可能性を小にすることができる。
【００１９】
従って、地磁気の影響以外、例えば、ＩＴＣ調整、消磁コイルによる消磁のバラツキ等により、電子ビームの移動量が略２０μｍ程度発生しても、地磁気の影響が小さくなった分、色ずれが発生し難くなる。
【００２０】
また、前記垂直方向に印加する一定の磁界として、前記最小値をとる位置の近くであって、都市が存在する位置の値を印加することを特徴とし、或いは、前記出荷先として予定されている地域は、北米であり、前記垂直方向に印加する一定の磁界は、３０μＴ以上４５μＴ未満の範囲であることを特徴とする。
【００２１】
さらに、上記目的を達成するために、陰極線管を備える陰極線管装置に対する実使用状態での地磁気の影響を軽減するために、前記陰極線管装置の出荷先として予定されている地域に対応して設定された垂直方向の一定の磁界を前記陰極線管に印加して行うＩＴＣ調整工程を含む陰極線管装置の製造方法であって、前記ＩＴＣ調整工程では、前記垂直方向に印加する一定の磁界として、前記地域内における地磁気の垂直磁界であったその最大値と最小値の平均値よりも小さい値を印加することを特徴とし、また、前記陰極線管は、シャドウマスクとして鉄製のテンションマスクを備えていることを特徴としている。
【発明の効果】
【００２２】
以上のように、本発明に係るＩＴＣ調整は、陰極線管装置に対する実使用状態での地磁気の影響を軽減するために、陰極線管装置の出荷先として予定されている地域に対応して設定された垂直方向の一定の磁界を出荷前の陰極線管装置に印加して行う陰極線管装置のＩＴＣ調整方法において、前記垂直方向に印加する一定の磁界として、前記地域内における地磁気の垂直磁界であってその最大値と最小値の平均値よりも小さい値を印加する。
【００２３】
このため、従来の方法よりもビーム移動量が大きくなる位置もあるが、出荷地域全体では、地磁気の影響による色ずれを起こすビーム移動量を、従来の方法で調整したものより小さくでき、陰極線管装置の色ずれを抑制できる。
【００２４】
また、陰極線管を備える陰極線管装置に対する実使用状態での地磁気の影響を軽減するために、前記陰極線管装置の出荷先として予定されている地域に対応して設定された垂直方向の一定の磁界を前記陰極線管に印加して行うＩＴＣ調整工程を含む陰極線管装置の製造方法であって、前記ＩＴＣ調整工程では、前記垂直方向に印加する一定の磁界として、前記地域内における地磁気の垂直磁界であったその最大値と最小値の平均値よりも小さい値を印加する。
【００２５】
このため、従来の方法よりもビーム移動量が大きくなる位置もあるが、出荷地域全体では、地磁気の影響による色ずれを起こすビーム移動量を従来の方法で調整したものより小さくでき、色ずれを起こしにくい陰極線管装置を得ることができる。
【発明を実施するための最良の形態】
【００２６】
以下、本発明の実施の形態であるカラー陰極線管装置について、図面を参照しながら説明する。
【００２７】
＜第１の実施の形態＞
１．カラー陰極線管装置の構造について
図１は実施の形態に係るカラー陰極線管装置１０の概略構成を示す断面図である。
【００２８】
カラー陰極線管装置１０は、図１に示すように、カラー陰極線管１２、偏向ヨーク１４、ＣＹ（Convergence  Yoke）１６等から成る。
【００２９】
カラー陰極線管１２は、フェースパネル２０とファンネル２２とが接合されてなるガラスバルブ内にインライン型電子銃（以下、単に「電子銃」と言う。）２４やシャドウマスク２６などが収納されて構成される。
【００３０】
フェースパネル２０の内面には、赤、緑、青の各蛍光体が規則正しく配列されてなる蛍光面２８が形成されている。シャドウマスク２６は蛍光面２８と略平行して設けられている。
【００３１】
シャドウマスク２６には電子ビーム通過孔が多数設けられ、電子銃２４から射出される３本の電子ビーム３０がそれぞれの蛍光体に正しく当たるようになっている。このシャドウマスク２６は、鉄製で、テンションが付加された所謂テンションマスクである。
【００３２】
偏向ヨーク１４は、ファンネル２２の外周に設けられており、電子銃２４から射出される３本の電子ビーム３０を上下・左右に偏向し、ラスタースキャン方式で蛍光面２８上を走査させる。本実施の形態における偏向ヨーク１４はサドル型の水平偏向コイル３２とトロイダル型の垂直偏向コイル３４とを備えており、垂直偏向コイル３４はフェライトコア３６に巻回されている。
【００３３】
垂直偏向コイル３４と水平偏向コイル３２との間には、樹脂枠３８が設けられている。樹脂枠３８は、垂直偏向コイル３４と水平偏向コイル３２との間の電気的な絶縁状態を維持すると共に、両偏向コイル３２，３４を支持する役割を果たしている。
【００３４】
偏向ヨーク１４の内周（ファンネル２２に装着される部分）は、ファンネル２２よりも若干大きくなっており、カラー陰極線管１２の管軸に対して、上下左右方向に移動可能（位置調整可能）になっている。なお、偏向ヨーク１４のファンネル２２の外周への取り付けは、後述のＩＴＣ調整の欄で説明するが、例えば、ゴム製の楔４０を用いて行われる。
【００３５】
電子銃２４は、ネック部４２の内部に収納されている。電子銃２４は、３個のヒータ（不図示）により各別に加熱される３個のカソードと、カソードから管軸方向であって、蛍光面２８に向けて所定間隔離間して順次配置された各電極等から成る。なお、この電子銃２４は、所定の電極間で主レンズを形成し、この主レンズにより各電子ビーム３０を蛍光面２８上に集束させるように構成されている。
【００３６】
ＣＹ１６は、電子銃２４の位置に対応してネック部４２の外周に設けられており、電子ビーム３０の静コンバーゼンス調整およびピュリティー調整を行うためのものである。ＣＹ１６は、円筒形をした樹脂枠４４と、この樹脂枠４４にその軸心廻りに回動自在に装着されたピュリティー磁石４５と静コンバーゼンス磁石５１とからなる。
【００３７】
ピュリティー磁石４５は、偏向ヨーク１４側にあり、２個の２極磁石４６，４８からなり、静コンバーゼンス磁石５１は、４極磁石５２と６極磁石５４とかなる。ピュリティー磁石４５、静コンバーゼンス磁石５１は、いずれも円環状をした２枚の磁石１組で構成されている。
【００３８】
ピュリティー磁石４５及び静コンバーゼンス磁石５１は、ピュリティー磁石４５の方が偏向ヨーク１４側にあるが、これらの装着位置は、逆であっても良いし、また静コンバーゼンス磁石５１の４極磁石５２と６極磁石５４との位置も逆であっても良い。
【００３９】
樹脂枠４４は、偏向ヨーク１４側の端部４４ａが偏向ヨーク１４（樹脂枠３８）に内挿するように樹脂枠３８に取り付けられている。ここで、偏向ヨーク１４とＣＹ１６が一体に組立てられたものを、以下、「ＣＹ一体型偏向ヨーク」という。
【００４０】
また、樹脂枠４４における偏向ヨーク１４と反対側の端部には、樹脂枠４４の軸心方向に延伸するスリットが周方向に複数本設けられている。このため、この端部を外周側から締め付けると、端部が縮径してＣＹ一体型偏向ヨークをネック部４２に固定できる。
【００４１】
なお、樹脂枠４４の端部を締め付けるものとしては、例えば、全体が環形状でその両端が対向するような金属ベルトを、その端部間をネジにより近づけることにより縮径する締め付けバンド５６を用いている。なお、ＣＹ一体型偏向ヨークのネック部４２への取り付けは、以下の「ＩＴＣ調整工程について」で併せて説明する。
２．ＩＴＣ調整工程について
上記構成のカラー陰極線管装置１０は、その出荷予定地域に対応した一定の磁界を印加された状態でＩＴＣ調整される。以下、カラー陰極線管装置１０の出荷先として、発明が解決しようとする課題の欄での説明と同じ北米地域を例にして、具体的に説明する。
【００４２】
まず、北米地域内における地磁気の垂直磁界の分布中のうち、小さい値であって、都市が存在する位置の値の磁界をカラー陰極線管装置１０に対して垂直方向に印加する。以下、垂直方向に印加する磁界について説明する。
【００４３】
この出荷予定地域には、カナダ、米国、メキシコ等の国が含まれ、この出荷予定地域内では、カナダのイエローナイフが北米地域の最も北極寄りの主要都市で、メキシコのメキシコシティーが北米地域の最も赤道寄りの主要都市である。これらの都市における地磁気の水平及び垂直磁界を表１に示す。
【００４４】
【表１】
2005038726.tif 000003
全体（合計）の地磁気は、表１に示すように、カナダのイエローナイフの方がメキシコのメキシコシティーより強い。イエローナイフでは、地磁気の合計の強さは６０μＴで、水平磁界が９μＴで、また垂直磁界が５９μＴである。一方、メキシコシティーでは、地磁気の合計の強さは４２μＴで、水平磁界が２８μＴで、また垂直磁界が３１μＴである。
【００４５】
なお、カナダのイエローナイフとメキシコのメキシコシティーとの間の位置における地磁気の値は、表１に示したイエローナイフの地磁気の値とメキシコシティーの地磁気の値との間となる。
【００４６】
以上のことから、出荷予定地域内で地磁気の垂直磁界の分布中、垂直磁界が最小となる都市は、その出荷地域内で緯度の低い位置にある都市であり、この北米地域の例では、メキシコのメキシコシティーとなる。従って、カラー陰極線管装置１０に印加すべき磁界の値は、メキシコのメキシコシティーにおける地磁気の垂直磁界と同じ値になる。
【００４７】
次に、このようにカラー陰極線管装置１０に磁界を印加した状態で、ＩＴＣ調整を行う。
【００４８】
図２は、ＩＴＣ調整工程を示すフローチャートである。
【００４９】
先ず、ピュリティー磁石４５である２組の２極磁石４６，４８のそれぞれをカラー陰極線管１２の管軸廻りに回動させて、電子ビーム３０を左右方向（ピュリティー）及び上下方向（ＤＹマッチング）に動かして、色純度と偏向ヨーク１４の上下方向のずれを調整する（ステップＳ１）。
【００５０】
次に、ＣＹ一体型偏向ヨークをカラー陰極線管１２の管軸廻りに回転させて、電子ビーム３０がスキャンするラスタの位置を調整し、画面の所定位置に合致させる（ステップＳ２）。
【００５１】
そして、ＣＹ一体型偏向ヨークをカラー陰極線管１２の管軸方向に前後移動させて、電子ビーム３０の蛍光面２８上で、色ずれが生じないように電子ビーム３０の移動量を調整する（ステップＳ３）。なお、本明細書でいう、左右方向、上下方向及び前後方向は、画面を正面から見るときの方向である。
【００５２】
このようにして、ＣＹ一体型偏向ヨークのファンネル２２に対する位置を保持した状態で、ファンネル２２とＣＹ一体型偏向ヨーク（偏向ヨーク１４）との間に４個の楔４０を挿入し、また、樹脂枠４４の偏向ヨーク１４と反対側の端部に取り付けられた締め付けバンド５６を締め付けて、ＣＹ一体型偏向ヨークをファンネル２２の外周に固定する。
【００５３】
最後に、静コンバーゼンス磁石５１である４極磁石５２と６極磁石５４をカラー陰極線管１２の管軸廻りに回動させて、画面中央の静コンバーゼンスを調整する（ステップＳ４）。なお、静コンバーゼンス磁石５１の内、４極磁石５２は、赤色及び青色の電子ビーム３０を一点に集中させるためのもので、また６極磁石５４は、赤、青、緑の電子ビーム３０を一点に集中させるためのものである。
【００５４】
以上の工程により、ＩＴＣ調整工程が終了する。
【００５５】
このようにＩＴＣ調整されたカラー陰極線管装置１０について、メキシコのメキシコシティー及びカナダのイエローナイフの都市の地磁気を作用させて、電子ビームの移動量を計算した結果を表２に示す。
【００５６】
計算のモデルとして利用したカラー陰極線管装置１０は、発明が解決しようとする課題の欄で説明したものと同じ３８型で、画面がフラットなタイプである。また、画面上の位置として、画面に向かって、中央部における上下方向の両端周辺を、「画面ＮＳ部」とい、画面に向かって、４ヶ所の隅周辺を、「画面コーナー部」という。
【００５７】
表２のおけるビーム移動量は、画面ＮＳ部での左右方向の最大の移動量を示す。ここでいう「最大の移動量」とは、カラー陰極線管装置１０に作用する水平磁界がカラー陰極線管装置１０の設置向きにより異なるため、カラー陰極線管装置１０の向きを変えて、電子ビームの移動量が最も大きくなったときの量をいう。なお、本方法でＩＴＣ調整した場合のビーム移動量と、従来の方法でＩＴＣ調整した場合とを比較するために、同表に従来の方法でＩＴＣ調整した場合の計算結果も合わせて記載している。
【００５８】
【表２】
2005038726.tif 000004
表２に示すように、メキシコのメキシコシティーでは、画面ＮＳ部における地磁気の水平磁界の影響によるビーム移動量は３７μｍ、垂直磁界の影響によるビーム移動量は、ＩＴＣ調整時にこの垂直磁界に相当する磁界が印加されているので、０μｍであり、合計が３７μｍである。
【００５９】
一方、カナダのイエローナイフでは、画面ＮＳ部における地磁気の水平磁界の影響によるビーム移動量は１２μｍ、垂直磁界の影響によるビーム移動量は２４μｍであり、合計が３６μｍである。
【００６０】
このように、出荷予定地域における北極寄りのカナダのイエローナイフ、赤道よりのメキシコのメキシコシティーとも、カラー陰極線管装置１０が地磁気の影響で色ずれを起こすビーム移動量（７４μｍ−２０μｍ＝５４μｍ）よりもかなり小さいことが分かる。
【００６１】
ここで、従来の方法と比較する。
【００６２】
先ず、従来の方法では、表２に示すように、先ず、メキシコ（メキシコシティー）では、画面ＮＳ部における地磁気の水平磁界の影響によるビーム移動量は３７μｍ、垂直磁界の影響によるビーム移動量は１２μｍであり、合計が４９μｍである。一方、カナダ（イエローナイフ）では、画面ＮＳ部における地磁気の水平磁界の影響によるビーム移動量は１２μｍ、垂直磁界の影響によるビーム移動量は１２μｍであり、合計が２４μｍである。
【００６３】
以上のことから、発明に係る方法では、カナダにおけるビーム移動量（３６μｍ）が、従来の方法でＩＴＣ調整した場合（２４μｍ）に比べて大きくなっているが、色ずれを起こす程の移動量ではない。また、メキシコにおけるビーム移動量（３７μｍ）は、従来の方法でＩＴＣ調整した場合（４９μｍ）に比べて、１２μｍ小さくなっている。
【００６４】
従って、この本発明に係る方法でＩＴＣ調整すると、メキシコのメキシコシティーでの画面ＮＳ部におけるビーム移動量が、発明が解決しようとする課題の欄で説明したような、他の要因によるビーム移動量（２０μｍ）を加算しても、５７μｍとなる。この加算した値は、色ずれを生じ始めるビーム移動量（７４μｍ）に対してかなりの余裕があり、色ずれの生じる可能性は低い。
【００６５】
なお、この出荷予定地域におけるカナダとメキシコの間に位置する場所における合計のビーム移動量は、表２に示したカナダの合計のビーム移動量とメキシコの合計のビーム移動量との間の値となり、ビーム移動による色ずれの発生の惧れはない。
【００６６】
３．最適な印加磁界について
上記で説明したような、出荷予定地域内における地磁気の垂直磁界が最小となる位置にある都市の垂直磁界の値を垂直方向に印加してＩＴＣ調整を行う方法は、その出荷地域内での色ずれの発生を抑制できる。この理由について以下説明する。
【００６７】
先ず、カラー陰極線管装置１０に印加する垂直方向の磁界の値を、０μＴ、１５μＴ、３１μＴ、４５μＴ、５９μＴの５種類でＩＴＣ調整を行い、このカラー陰極線管装置１０に、カナダのイエローナイフ及びメキシコのメキシコシティーの両都市に作用する地磁気を印加させたとき（つまり、ＩＴＣ調整したカラー陰極線管装置をカナダ或いはメキシコで使用したときに相当する）のビーム移動量を計算した。なお、磁界の値が３１μＴ、５９μＴは、メキシコシティー及びイエローナイフの垂直磁界である。
【００６８】
その結果を図３及び図４に示す。図３は、ＩＴＣ調整時に印加される一定の垂直磁界（以下、単に、「印加磁界」という。）の値と、画面ＮＳ部におけるビーム移動量との関係を示し、図４は、ＩＴＣ調整時の印加磁界の値と、画面コーナー部におけるビーム移動量との関係を示している。
【００６９】
１）ビーム移動量と出荷予定地域内の位置との関係について
ビーム移動量は、両図に示すように、画面ＮＳ部及び画面コーナー部に関係なく、メキシコの方がカナダよりも大きくなっている。つまり、場所が赤道に近いほどビーム移動量が大きくなっている。一方、メキシコ、カナダに作用する地磁気（合計）は、表１に示したように、カナダの方（北極に近いほど）が強くなっている。それにも拘わらず、メキシコのビーム移動量の方がカナダよりも大きくなっているのは、ビーム移動量は垂直磁界よりも水平磁界の影響を受けやすいためだと考えられる。
【００７０】
なお、この水平磁界は、カラー陰極線管装置１０の設置向きによって変化するため、ＩＴＣ調整時等に補正し、ビーム移動量を減少させることはできない。
【００７１】
２）ビーム移動量の傾向について
カナダでは、印加磁界を強くするに従ってビーム移動量が減少している。一方、メキシコでは、印加磁界を強くしていくと、印加磁界が３１μＴまでは、ビーム移動量が減少しているが、印加磁界が３１μＴを越えるとビーム移動量が増加している。
【００７２】
これは、ビーム移動量（合計）は、以下の式で得られるためである。
【００７３】
ビーム移動量の合計＝水平磁界によるビーム移動量
＋（垂直磁界−印加磁界）の絶対値によるビーム移動量
ここで、上式の水平磁界は、その位置に作用する地磁気の水平磁界であり、また垂直磁界は、同じくその位置に作用する垂直磁界である。
【００７４】
つまり、上式の（垂直磁界−印加磁界）の絶対値が小になるように、すなわち、出荷する位置の垂直磁界を印加してＩＴＣ調整をすれば、その位置におけるビーム移動量を最小にできる。
３）まとめ
上記１）２）で説明したように、出荷予定地域内の各位置（ここでは、カナダとメキシコの２カ国）について、その位置におけるビーム移動量を最小にできる印加磁界の値が分かった。
【００７５】
このため、カラー陰極線管装置の色ずれを抑制するには、各々の位置に対応した磁界を印加してＩＴＣ調整を行うのが最も良いことになるが、実際のＩＴＣ調整、さらにはカラー陰極線管装置の出荷先の管理等を考慮すると、各々の位置に対応した磁界を印加してＩＴＣ調整は不可能である。
【００７６】
しかしながら、本発明に係るＩＴＣ調整のように、カラー陰極線管装置１０を出荷予定地域での地磁気の垂直磁界の値が小さい位置での地磁気の垂直磁界をＩＴＣ調整時に印加させると、従来の方法よりもビーム移動量が大きくなる位置も発生するが、出荷予定地域全体で考えた場合、従来の方法で最もビーム移動量が大きかった位置での地磁気の影響によるビーム移動量を小さくでき、しかも、各位置でのビーム移動量を均一化することができる。このため、カラー陰極線管装置１０として色ずれに対する品質は向上したとみなすことができる。
【００７７】
＜第２の実施の形態＞
上記第１の実施の形態では、出荷予定地域を北米地域向けとして説明したが、本発明に係るＩＴＣ調整方法は、例えば、日本で製造され、日本の各地に出荷されるような場合にも適用できる。以下、出荷予定地域が日本の場合について説明する。
【００７８】
本実施の形態における出荷予定地域内では、稚内が最も北極寄りの主要都市で、那覇が最も赤道寄りの主要都市となる。これらの都市における地磁気の水平及び垂直磁界を表３に示す。
【００７９】
【表３】
2005038726.tif 000005
合計の地磁気は、表３に示すように、稚内の方が那覇より強い。稚内では、地磁気の合計の強さは５１μＴで、水平磁界が２５μＴ、垂直磁界が４４μＴである。一方、那覇では、地磁気の合計の強さは４４μＴで、水平磁界が３５μＴ、垂直磁界が２６μＴである。
【００８０】
なお、稚内と那覇との間の位置における都市の地磁気の値は、表３に示した稚内の地磁気の値と那覇の地磁気の値との間となる。
【００８１】
以上のことから、出荷予定地域内で地磁気の垂直磁界の分布中、垂直磁界が最小となる都市は、その出荷地域内で緯度の低い位置にある都市であり、ここでは那覇となる。従って、カラー陰極線管装置１０に印加すべき磁界の値は、那覇における地磁気の垂直磁界と同じ値（２６μＴ）になる。
【００８２】
このようにＩＴＣ調整されたカラー陰極線管装置１０について、稚内及び那覇の地磁気を作用させて、電子ビームの移動量を計算した結果を表４に示す。
【００８３】
計算のモデルとして利用したカラー陰極線管装置１０は、第１の実施の形態で説明したものと同じタイプである。
【００８４】
なお、本方法でＩＴＣ調整した場合のビーム移動量と、従来の方法でＩＴＣ調整した場合とを比較するために、同表に従来の方法でＩＴＣ調整した場合の計算結果も合わせて記載している。
【００８５】
【表４】
2005038726.tif 000006
表４に示すように、那覇では、画面ＮＳ部における地磁気の水平磁界の影響によるビーム移動量は４７μｍ、垂直磁界の影響によるビーム移動量は、ＩＴＣ調整時にこの垂直磁界に相当する磁界が印加されているので、０μｍであり、合計が４７μｍである。
【００８６】
一方、稚内では、画面ＮＳ部における地磁気の水平磁界の影響によるビーム移動量は３３μｍ、垂直磁界の影響によるビーム移動量は１５μｍであり、合計が４９μｍである。
【００８７】
このように稚内及び那覇とも、カラー陰極線管装置１０が地磁気の影響で色ずれを起こすビーム移動量（７４μｍ−２０μｍ＝５４μｍ）よりもかなり小さいことが分かる。
【００８８】
ここで、従来の方法と比較する。先ず、従来の方法では、カラー陰極線管装置１０に印加すべき磁界の値は、那覇及び稚内におけるそれぞれの地磁気の垂直磁界の平均値である３５μＴである。
【００８９】
このようにしてＩＴＣ調整されたカラー陰極線管装置１０について、稚内及び那覇の地磁気を作用させて、電子ビームの移動量を計算した結果は、表４に示すように、先ず、那覇では、画面ＮＳ部における地磁気の水平磁界の影響によるビーム移動量は４７μｍ、垂直磁界の影響によるビーム移動量は８μｍであり、その合計が５４μｍである。一方、稚内では、画面ＮＳ部における地磁気の水平磁界の影響によるビーム移動量は３３μｍ、垂直磁界の影響によるビーム移動量は８μｍであり、その合計が４１μｍである。
【００９０】
以上のことから、発明に係る方法では、稚内におけるビーム移動量（４９μｍ）が、従来の方法でＩＴＣ調整した場合（４１μｍ）に比べて若干大きくなっているが、色ずれを起こす程の移動量ではない。また那覇におけるビーム移動量（４７μｍ）は、従来の方法でＩＴＣ調整した場合（５４μｍ）に比べて、７μｍ小さくなっている。
【００９１】
従って、本発明に係るＩＴＣ調整をすると、従来の方法よりもビーム移動量が大きくなる位置も発生するが、出荷予定地域全体で考えた場合、従来の方法で最もビーム移動量が大きかった位置での地磁気の影響によるビーム移動量を小さくでき、しかも、各位置でのビーム移動量を均一化することができる。このため、カラー陰極線管装置１０として色ずれに対する品質は向上したとみなすことができる。
（変形例）
以上、本発明を実施の形態に基づいて説明したが、本発明の内容が、上記実施形態に示された具体例に限定されないことは勿論であり、例えば以下のような変形例を実施することができる。
【００９２】
（１）出荷予定地域について
上記の第１の実施の形態では、カラー陰極線管装置の出荷予定地域として北米地域を例に説明したが、他の出荷予定地域（例えば、ヨーロッパ）でも良い。また、北米の出荷予定地域における、北極寄りの都市をカナダのイエローナイフとして、また赤道寄りの都市をメキシコシティーとして説明したが、当然、他の位置でも良い。
【００９３】
さらに、出荷予定地域は、南半球でも良い。当然この場合であっても、カラー陰極線管装置を出荷する南半球における出荷予定地域での地磁気の垂直磁界の値が小さい位置であって、都市が存在する位置での垂直磁界の値を垂直方向にＩＴＣ調整時に印加すれば良い。
【００９４】
また、本発明に係るＩＴＣ調整方法及び製造方法は、外国でカラー陰極線管装置を製造して、日本を出荷予定地域とするような場合も適用できるし、外国で製造して、他の外国を出荷予定地域とするような場合にも適用できる。
【００９５】
（２）印加する磁界の強さについて
上記の実施の形態では、ＩＴＣ調整時に印加する磁界の強さは、出荷予定地域内における地磁気の垂直磁界の最大値と最小値の平均値より小さければ、つまり北米地域向けであれば、この地域の垂直磁界の最小値である３１μＴ以上、そして最大値と最小値の平均値である４５μＴより小であれば、従来の方法でＩＴＣ調整した場合よりもビーム移動量を小さくできる。
【００９６】
また、国内向けであれば、この地域の垂直磁界の略最小値である２６μＴ以上、そして最大値と最小値の平均値である３５μＴより小であれば、従来の方法でＩＴＣ調整した場合よりもビーム移動量を小さくできる。
【００９７】
なお、言うまでもなく、出荷予定地域内での垂直磁界が最小値近傍となる位置での垂直磁界の値を印加してＩＴＣ調整した方が、ビーム移動量を最小にできる。
【００９８】
（３）シャドウマスクについて
上記の実施の形態では、シャドウマスクに、テンションマスクを用いたが、テンションを付与していないシャドウマスクを用いてもよい。この場合、地磁気によるビーム移動量がより小さくなり、色ずれを起こす可能性がさらに低くなる。
【００９９】
また、シャドウマスクは、鉄製に限らず、例えば、鉄―Ｎｉ（Ｎｉの比率が３６％）からなるインパー製であっても構わない。
【産業上の利用可能性】
【０１００】
本発明に係る陰極線管装置のＩＴＣ調整方法は、陰極線管装置に対する実使用状態での地磁気の影響を軽減するために利用できる。また、本発明に係る陰極線管装置の製造方法は、実使用状態での地磁気の影響を軽減する陰極線管装置を製造するのに利用できる。
【図面の簡単な説明】
【０１０１】
【図１】本発明に係るカラー陰極線管装置の概略構成を示す半断面図である。
【図２】本発明の係るＩＴＣ調整工程を示すフローチャートである。
【図３】第１の実施の形態における、ＩＴＣ調整時に印加する印加磁界と、当該印加磁界で調整されたカラー陰極線管装置における各地域での画面ＮＳ部のビーム移動量との関係を示す図である。
【図４】第１の実施の形態における、ＩＴＣ調整時に印加する印加磁界と、当該印加磁界で調整されたカラー陰極線管装置における各地域での画面コーナー部のビーム移動量との関係を示す図である。
【符号の説明】
【０１０２】
１０    カラー陰極線管装置
１２    カラー陰極線管
１４    偏向ヨーク
１６    ＣＹ
４０    楔
４５    ピュリティー磁石
５１    静コンバーゼンス磁石
５６    締め付けバンド
【図１】
2005038726.tif 000007
【図２】
2005038726.tif 000008
【図３】
2005038726.tif 000009
【図４】
2005038726.tif 000010